(57)【特許請求の範囲】
【請求項１】
一端が支柱に連結される外筒部材と、一端に架空線が連結去れ、前記外筒部材に出入り自在に挿入された内側部材と、外筒部材と内側部材との間に介設され、外筒部材から突出した内側部材を復帰させるように内側部材を付勢するコイルばねとを具備し、架空線を所定の張力を保持しつつ引き留めるばね式テンションバランサの外筒部材に対しる内側部材の出没量を目視確認するための出没量指示装置において、
前記内側部材上に嵌合して固定される取付リングと、
この取付リング上に軸周りの取り付け位置を変更できるように嵌合し取付リングに対して所望の位置で回り止めするための係合部を備えたブラケットを有し、取付リングに前記ブラケットの係合部と係合する対応係合部を設け、内側部材の軸線に対して直行方向に延出した後屈折し、前記外筒部材の外面に沿って軸線方向に延び、外筒部材と内側部材との相対変位を軸線方向に設けられた目盛りにより指示するインジケータとを具備することを特徴とするばね式テンションバランサの出没量指示装置。
【請求項２】
前記取付リングの対応係合部には軸周りに複数の凹部を備え、前記ブラケットの係合部には、前記ブラケットに突設され、前記凹部にはまる固定ピンを備えていることを特徴とする請求項１に記載のばね式テンションバランサの出没量指示装置。
【発明の詳細な説明】
【０００１】
【発明の属する技術分野】
本発明は、例えば電車線等の架空線の端部を所定の張力で構造物に引き留めるばね式のテンションバランサにおける外筒部材と内側部材との間の相対変位量を目視により確認して架線の長さ変動を点検するためのものに関する。
【０００２】
【従来の技術】
従来のばね式テンションバランサは、円筒状ケーシング内に外筒と、複数の内筒と、ロッドとを同心的にかつ軸線方向に出入り自在に挿入し、これらの各間隙にコイルばねを夫々介在させ、張力で引き出された各内筒及びロッドがケーシング内に収容される方向に付勢されている（特開平９−３３２０１号）。このテンションバランサには、ケーシングの外面に沿ってロッドと共に軸線方向に移動可能な目盛り板が、ロッドの端部に軸周りに回動自在に設けられており、自重で常に下方に位置して、下から目視確認するようになっている。
【０００３】
【発明が解決しようとする課題】
上記従来のテンションバランサにおいては、架空線や途上に介在するワイヤが撚り線構造を有するために、これらに張力が加わると、ロッドがケーシングに対して回転変位するので、目盛り板がロッドと共回りしないように、目盛り板を回転リングでロッドに対して相対回転するようにしている。しかしながら、目盛り板の読み取り位置が真下に限られてしまうので、テンションバランサの取付環境によって下から見上げることに困難を伴う場合に読み取りに支障を来す。実際には、張力がかかって電車線やワイヤの撚りでロッドが回転しようとしても、ケーシング、コイルばね、内筒など各構成部材間に生ずる回転に対する摩擦抵抗によって、ロッドの変位は僅かである。しかし、ロッドに目盛り板を固定してしまうと、目盛り板が見難い位置へ回り込むなどの読み取りに影響を及ぼすことがある。
そこで、本発明は、ばね式テンションバランサの外筒部材に対する内側部材の出没量を示す目盛り板を、テンションバランサの取付環境に応じて見易い位置に調整して固定できる出没量指示装置を提供することを課題としている。
【０００４】
上記課題を解決するため、第１の発明においては、内側部材４上に取付リング１１を嵌合して固定し、この取付リング１１上に軸周りの取付位置を変更できるようにインジケータ１０を嵌合して固定する。このインジケータ１０は、取付リング１１に対して所望の位置で回り止めするための係合部を備えたブラケット１２を有し、取付リング１１に前記ブラケット１２の係合部と係合する対応係合部を設け、内側部材の軸線に対して直行方向に延出した後屈折し、外筒部材２の外面に沿って軸線方向に延び、外筒部材２と内側部材４との相対変位を軸線方向に設けた目盛りにより指示するようにばね式テンションバランサの出没量指示装置を構成した。第２の発明においては、取付リング１１の対応係合部には軸周りに複数の凹部を備え、ブラケット１２の係合部に、凹部１１ｄにはまる固定ピン１２ａを突設する。
【０００５】
【発明の実施の形態】
本発明の実施の一形態を図面を参照して説明する。
図１乃至図３において、テンションバランサ１は、外筒部材である円筒状のケーシング２内に円筒状の第１の内筒３が一端側から軸線方向に出入り自在に設けられ、第１の内筒３内に内側部材である円筒状の第２の内筒４が一端側から軸線方向に出入り自在に設けられている。ケーシング２と第１の内筒３との間、及び第１の内筒３と第２の内筒４との間にはコイルばね５，６が介在する。コイルばね５は内筒３とケーシング２とに係止され、ケーシング２から内筒３が突出すると圧縮されて内筒３を引き戻す方向に付勢する。コイルばね６も同様に内筒３と内筒４とに係止され、内筒３から内筒４が突出すると圧縮されて内筒４を引き戻す方向に付勢する。外側のコイルばね５のばね定数は内側のコイルばね６のそれより大きく、所定の張力でトロリ線を引き留めるように設定されている。ケーシング２の一端には支柱に連結するための引き手クレビス２ａを、側面中間部には支柱に支持ロープでつなぐための引き手クレビス２ｂを、第２の内筒４の外側端部にはトロリ線を連結するための引き手クレビス４ａを備えている。ケーシング２内の一方の端壁中央には、軸線方向へ中間部まで延出したロッド７が固定されており、その先端部には半径方向へ延出してコイルばね６の密着を阻止する鍔部７ａを有する。
【０００６】
ケーシング２の他端には内筒３を貫通させる端蓋８が固着されている。端蓋８の下部にはガイド９が一体に形成されており、ここに円弧孔９ａが設けられている。円弧孔９ａは、後記する目盛り板１３の回動範囲をケーシング２の軸周りに下端から両側へほぼ３５度の角度に規制する。ガイド９は目盛り板１３の長手方向の移動を案内すると共に目盛り板１３を支持し、さらに目盛り板１３上の目盛りの支持位置となる。
【０００７】
内筒４の外側端部には出没量指示装置１０が取り付けられる。図４乃至図６に示すように、出没量指示装置１０は、取付リング１１と、ブラケット１２と、目盛り板１３とを備えている。取付リング１１は、内筒４の突出端部上に嵌合する。取付リング１１の側部には、軸周りに等間隔に三つのボルト孔１１ａを有し、ボルト１１ｂで内筒４に固定される。取付リング１１の一端部には鍔部１１ｃを有し、上端から軸周りに両側へほぼ４５度の範囲の縁に半円径の複数の凹部１１ｄが形成されている。この凹部１１ｄの形成範囲はガイド９の円弧孔９ａに対応している。取付リング１１上には、ブラケット１２が嵌合する。ブラケット１２は、取付リング１１の鍔部１１ｃとボルト１１ｂとの間で軸方向に固定される。ブラケット１２の半部は、取付リング１１から下方へ延出している。ブラケット１２の他端部には、固定ピン１２ａが突設されている。固定ピン１２ａは、取付リング１１の凹部１１ｄ内に係合して、ブラケット１２を回転方向に固定する。ブラケット１２の下端部には、ケーシング２の外面に沿って軸線方向へ延びる目盛り板１３がボルト１４で結合される。
【０００８】
このテンションバランサ１においては、出没量指示装置１０を内筒４に取り付けて、ケーシング２の引き手クレビス２ａを支柱に、引き手クレビス３ｂを支柱につながる支持ロープに、第２の内筒４の引き手クレビス４ａをトロリ線に夫々連結して、トロリ線を引き留める。所定の張力でトロリ線を張ると、ケーシング２から内筒３，４がコイルばね５，６を圧縮しながら突出する。この状態で、出没量指示装置１０の目盛り板１３を目視可能な位置に合わせる。即ち、取付リング１１のボルト１１ｂを外して、目盛り板１３を見易い位置に配置するように取付リング１１上のブラケット１２の軸周りの位置を調整し、ピン１２ａを所望の凹部１１ｄに係合させてブラケット１２を回転方向に固定し、ボルト１１ｂを締め込んでブラケット１２を軸線方向に固定すると共に取付リング１１を固定する。従って、テンションバランサ１のケーシング２と内筒４との間の相対変位量を点検するときに、見易い位置から目盛り板１３を読み取ることができる。また、温度等の環境の変化によりトロリ線の伸縮に伴う内筒４との共回りによって、目盛り板１３が見難い位置に変位したら、先と同様にピン１２ａと係合する凹部１１ｄを適宜変更することにより取付リング１１に対するブラケット１２の軸周りの位置を調整して目盛り板１３を目視可能な位置に変更する。
【０００９】
【発明の効果】
以上のように、本発明は、撚り線構造の架空線や介在するワイヤに張力が加わって、筒状部材が軸線周りに変位しても、テンションバランサの取付位置にかかわらず、目盛り板が見やすい位置に固定されて、張力の度合いを示す突出量を確認点検することができるという効果を有する。
【図面の簡単な説明】
【図１】テンションバランサの一部を切り欠いた側面図である。
【図２】テンションバランサの正面図である。
【図３】テンションバランサの背面図である。
【図４】本発明に係る出没量指示装置の分解斜視図である。
【図５】出没量指示装置の正面図である。
【図６】出没量指示装置の側面図である。
【符号の説明】
１    テンションバランサ
２    ケーシング
３，４  内筒
５，６  コイルばね
９    ガイド
９ａ  円弧孔
１０    インジケータ
１１    取付リング
１１ｂ  ボルト
１１ｄ  凹部
１２    ブラケット
１２ａ  固定ピン
１３    目盛り板
【図１】
0003891698.tif 000002
【図２】
0003891698.tif 000003
【図３】
0003891698.tif 000004
【図４】
0003891698.tif 000005
【図５】
0003891698.tif 000006
【図６】
0003891698.tif 000007